【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
パケットの中継処理を行うひとつ又は複数のルーティングモジュールと、任意の付加機能処理を行うひとつ又は複数の機能拡張モジュールを備えた情報中継装置であって、
前記ルーティングモジュールは、
受信パケットに含まれるアドレス情報と、前記受信パケットの送出経路を示す第１の送出経路情報と、を対応付けて記憶し、前記受信パケットを他の装置へ転送するために用いられる経路情報テーブルと、
予め定められた検索条件と、受信パケットに対して前記付加機能処理を行うべき機能拡張モジュールの情報を示す第２の送出経路情報と、を対応づけて記憶し、前記受信パケットを前記機能拡張モジュールへ転送するために用いられる検出条件テーブルと
を備えた情報中継装置。
【請求項２】
請求項１に記載の情報中継装置であって、
前記ルーティングモジュールは、さらに、
前記経路情報テーブルを検索し、前記受信パケットに対する第１の送出経路情報を得て、前記受信パケットに前記第１の送出経路情報を付加する第１の検索部と、
前記検出条件テーブルを検索し、検索条件に該当する場合、該受信パケットに対する第２の送出経路情報を得て、前記受信パケットに前記第２の送出経路情報を付加する第２の検索部と、
受信パケットに付加された前記第１の送出経路情報と前記第２の送出経路情報のうち少なくとも一方に基づいて、前記受信パケットを機能拡張モジュールまたはルーティングモジュールに転送する送信部と
を備えた情報中継装置。
【請求項３】
請求項２に記載の情報中継装置であって、
前記第２の検索部は、前記受信パケットに対して前記第１の検索部が付加した第１の送出経路情報を第２の送出経路情報に書き換えることによって、前記第２の送出経路情報を前記受信パケットに付加する情報中継装置。
【請求項４】
請求項２または請求項３に記載の情報中継装置であって、
前記機能拡張モジュールは、
前記送信部から受信パケットが転送され、付加機能処理を施す機能実行部と、
前記機能実行部により付加機能処理が施されたパケットの送出経路情報を前記パケットに含まれるヘッダ情報に基づいて決定する第３の検索部と、
前記第３の検索部により決定した送出経路情報に基づいて、前記パケットを機能拡張モジュールまたはルーティングモジュールに転送する送信部とを備えた情報中継装置。
【請求項５】
請求項２に記載の情報中継装置であって、
前記第２の検索部は、前記受信パケットに対して前記第１の検索部が付加した第１の送出経路情報とは別の領域に前記第２の送出経路情報を付加する情報中継装置。
【請求項６】
請求項５に記載の情報中継装置であって、
前記機能拡張モジュールは、
前記送信部から受信パケットが転送され、付加機能処理を施す機能実行部と、
前記機能実行部により付加機能処理が施されたパケットから前記第２の送出経路情報を削除し、前記第１の送出経路情報に基づいて、前記パケットをルーティングモジュールに転送する送信部とを備えた情報中継装置。
【請求項７】
パケットの中継処理を行うひとつ又は複数のルーティングモジュールと、任意の付加機能処理を行うひとつ又は複数の機能拡張モジュールを備えた情報中継装置における転送方法であって、
前記ルーティングモジュールにより、
受信パケットからアドレス部分を抽出し、それを検索キーとしてアドレスに対応して送出経路情報が記憶された経路情報テーブルを検索し、受信パケットに対する第１の送出経路情報を得て、前記受信パケットに前記第１の送出経路情報を付加する第１のステップと、
予め定められた検索条件に対応して前記付加機能処理を行うべき機能拡張モジュールの情報を含む第２の送出経路情報が記憶された検出条件テーブルを検索し、検索条件に該当する場合、該受信パケットに対する第２の送出経路情報を得て、前記受信パケットに前記第２の送出経路情報を付加する第２のステップと、
受信パケットに付加された前記第１の送出経路情報と前記第２の送出経路情報のうち少なくとも一方に基づいて、前記受信パケットを機能拡張モジュールまたはルーティングモジュールに転送する第３のステップと
を含む転送方法。
【請求項８】
請求項７に記載の転送方法であって、
前記第２のステップは、前記受信パケットに対して前記第１のステップで付加した第１の送出経路情報を第２の送出経路情報に書き換えることによって、前記第２の送出経路情報を前記受信パケットに付加することを含む転送方法。
【請求項９】
請求項７に記載の転送方法であって、
前記第２のステップは、前記受信パケットに対して前記第１のステップで付加した第１の送出経路情報とは別の領域に前記第２の送出経路情報を付加することを含む転送方法。
【請求項１０】
パケットの中継処理を行うひとつ又は複数の転送処理部と、任意の付加機能処理を行うひとつ又は複数の機能拡張処理部を備えた情報中継装置であって、
前記転送処理部は、
受信パケットに含まれるアドレス情報に基づいて、前記受信パケットを送出すべき経路を特定し、前記受信パケットを他の装置へ転送する第１の処理と、
受信パケットに含まれる情報と予め定められたパケットの検出条件とを比較して、前記受信パケットに対して前記付加機能処理を行うべき機能拡張処理部を特定し、前記受信パケットを前記特定した機能拡張処理部へ転送する第２の処理と
を実行する情報中継装置。
【請求項１１】
請求項１０に記載の情報中継装置であって、
前記転送処理部は、さらに、
前記第１の処理において、前記受信パケットを送出すべき経路を示す第１の送出経路情報を前記受信パケットに付加する第１の処理部と、
前記第２の処理において、前記受信パケットに対して付加機能処理を行うべき機能拡張処理部を示す第２の送出経路情報を前記受信パケットに付加する第２の処理部と、
を備えた情報中継装置。
【請求項１２】
請求項１１に記載の情報中継装置であって、
前記第２の処理部は、前記受信パケットに対して前記第１の処理部が付加した第１の送出経路情報を第２の送出経路情報に書き換えることによって、前記第２の送出経路情報を前記受信パケットに付加する情報中継装置。
【請求項１３】
請求項１１に記載の情報中継装置であって、
前記第２の処理部は、前記受信パケットに対して前記第１の処理部が付加した第１の送出経路情報とは別の領域に前記第２の送出経路情報を付加する情報中継装置。
【請求項１４】
パケットの中継処理を行うひとつ又は複数の転送処理部と、任意の付加機能処理を行うひとつ又は複数の機能拡張処理部を備えた情報中継装置であって、
前記転送処理部は、
受信パケットに含まれる情報と予め定められたパケットの検出条件とを比較して前記受信パケットに対して前記付加機能処理を行うか否かを判定し、前記付加機能処理を行うと判断した場合に、前記受信パケットに対して前記付加機能処理を行うべき機能拡張処理部を前記受信パケットに含まれる情報に基づいて特定し、前記受信パケットを前記特定した機能拡張処理部へ転送することで、前記受信パケットを選択的に前記機能拡張処理部に転送する情報中継装置。
【手続補正２】
【補正対象書類名】明細書
【補正対象項目名】００３３
【補正方法】変更
【補正の内容】
【００３３】
本発明の第２の解決手段によると、
パケットの中継処理を行うひとつ又は複数のルーティングモジュールと、任意の付加機能処理を行うひとつ又は複数の機能拡張モジュールを備えた情報中継装置における転送方法であって、
前記ルーティングモジュールにより、
受信パケットからアドレス部分を抽出し、それを検索キーとしてアドレスに対応して送出経路情報が記憶された経路情報テーブルを検索し、受信パケットに対する第１の送出経路情報を得て、前記受信パケットに前記第１の送出経路情報を付加する第１のステップと、
予め定められた検索条件に対応して前記付加機能処理を行うべき機能拡張モジュールの情報を含む第２の送出経路情報が記憶された検出条件テーブルを検索し、検索条件に該当する場合、該受信パケットに対する第２の送出経路情報を得て、前記受信パケットに前記第２の送出経路情報を付加する第２のステップと、
受信パケットに付加された前記第１の送出経路情報と前記第２の送出経路情報のうち少なくとも一方に基づいて、前記受信パケットを機能拡張モジュールまたはルーティングモジュールに転送する第３のステップと
を含む転送方法を提供する。
本発明の第３の解決手段によると、
パケットの中継処理を行うひとつ又は複数の転送処理部と、任意の付加機能処理を行うひとつ又は複数の機能拡張処理部を備えた情報中継装置であって、
前記転送処理部は、
受信パケットに含まれるアドレス情報に基づいて、前記受信パケットを送出すべき経路を特定し、前記受信パケットを他の装置へ転送する第１の処理と、
受信パケットに含まれる情報と予め定められたパケットの検出条件とを比較して、前記受信パケットに対して前記付加機能処理を行うべき機能拡張処理部を特定し、前記受信パケットを前記特定した機能拡張処理部へ転送する第２の処理と
を実行する情報中継装置を提供する。
本発明の第４の解決手段によると、
パケットの中継処理を行うひとつ又は複数の転送処理部と、任意の付加機能処理を行うひとつ又は複数の機能拡張処理部を備えた情報中継装置であって、
前記転送処理部は、
受信パケットに含まれる情報と予め定められたパケットの検出条件とを比較して前記受信パケットに対して前記付加機能処理を行うか否かを判定し、前記付加機能処理を行うと判断した場合に、前記受信パケットに対して前記付加機能処理を行うべき機能拡張処理部を前記受信パケットに含まれる情報に基づいて特定し、前記受信パケットを前記特定した機能拡張処理部へ転送することで、前記受信パケットを選択的に前記機能拡張処理部に転送する情報中継装置を提供する。